(57)【要約】【課題】ドラフトによる不快感を低減することができると共に、室内の状況に適した空気調和を行うことができる輻射パネル構造体および空気調和機を提供する。【解決手段】輻射パネル構造体５ａは、空気取入れ口５１と、輻射部５２ａとを備える。空気取入れ口５１は、温度調整された空気を取り入れる。輻射部５２ａは、空気によって大気圧より大きな圧力が生じる圧力発生空間ＰＳを構成し、所定の輻射率を有する。そして、輻射部５２ａは、第１輻射面５４ａを有する。この第１輻射面５４ａは、温度調整された空気が吹き出すと共に部位によって吹き出す空気の風量が異なる。【選択図】        図３
2004251547.tif 000002
【特許請求の範囲】
【請求項１】
温度調整された空気を取り入れる空気取入れ部（５１）と、
前記空気によって大気圧より大きな圧力が生じる圧力発生空間（ＰＳ）を構成し、所定の輻射率を有する圧力発生空間構成部（５２ａ−５２ｄ）と、
を備え、
前記圧力発生空間構成部（５２ａ−５２ｄ）は、温度調整された前記空気が吹き出すと共に部位によって吹き出す前記空気の特性が異なる吹出し部（５４ａ−５４ｄ）を有する、
輻射パネル構造体（５ａ−５ｄ）。
【請求項２】
前記吹出し部（５４ａ−５４ｄ）の部位によって異なる前記空気の特性は、吹き出される前記空気の風量である、
請求項１に記載の輻射パネル構造体（５ａ−５ｄ）。
【請求項３】
前記吹出し部（５４ａ−５４ｄ）の部位によって異なる前記空気の特性は、吹き出される前記空気の風速である、
請求項１に記載の輻射パネル構造体（５ａ−５ｄ）。
【請求項４】
前記吹出し部（５４ａ−５４ｄ）は、大きさの異なる複数の孔を有する、
請求項１から３のいずれかに記載の輻射パネル構造体（５ａ−５ｄ）。
【請求項５】
前記吹出し部（５４ｂ）は、
前記孔が設けられている第１部（５４１，５４２）と、
前記孔が設けられていない第２部（５４３）と、
を有する、
請求項４に記載の輻射パネル構造体（５ｂ）。
【請求項６】
前記吹出し部（５４ａ−５４ｄ）は、所定の輻射率を有する繊維系材料によって構成されており、部位によって繊維の目の粗さが異なる、
請求項１から５のいずれかに記載の輻射パネル構造体（５ａ−５ｄ）。
【請求項７】
前記吹出し部（５４ａ−５４ｄ）は、平面的形状を有し、同一平面内の部位によって吹き出す前記空気の量が異なる、
請求項６に記載の輻射パネル構造体（５ａ−５ｄ）。
【請求項８】
前記吹出し部（５４ｃ）の繊維の目の粗さが連続的に変化している、
請求項６または７に記載の輻射パネル構造体（５ｃ）。
【請求項９】
前記吹出し部（５４ａ）の繊維の目の粗さが離散的に変化している、
請求項項６または７に記載の輻射パネル構造体（５ａ）。
【請求項１０】
前記吹出し部（５４ｄ）は、
互いに別体に形成された複数の分割部分（５４４−５４７）と、
前記分割部分（５４４−５４７）をそれぞれ接続する接続部分（５４８−５５１）と、
を有し、
複数の前記分割部分（５４４−５４７）は繊維の目の粗さがそれぞれ異なる、請求項６から９のいずれかに記載の輻射パネル構造体（５ｄ）。
【請求項１１】
前記接続部分（５４８−５５１）は前記分割部分（５４４−５４７）を着脱自在に接続する、
請求項１０に記載の輻射パネル構造体（５ｄ）。
【請求項１２】
請求項１から１１のいずれかに記載の輻射パネル構造体（５ａ−５ｄ）と、
前記輻射パネル構造体（５ａ−５ｄ）の前記圧力発生空間構成部（５２ａ−５２ｄ）へと送られる前記空気の温度調整を行う温度調整部（２２）と、
前記温度調整部（２２）によって温度調整された前記空気を前記輻射パネル構造体（５ａ−５ｄ）の前記空気取入れ部（５１）へと送る送風部（２３）と、
を備える空気調和機（１）。
【発明の詳細な説明】
【０００１】
【発明の属する技術分野】
本発明は、輻射パネル構造体および空気調和機に関する。
【０００２】
【従来の技術】
温度調整された空気を室内へと吹き出して室内の温度調整を行う対流型空気調和機がよく利用されている。この対流型空気調和機は、通常、室内へと吹き出される空気が通る吹出し口を備えている。この吹出し口は、例えば、空気調和機の室内機の長手方向に沿って室内機の正面下部に設けられた開口である。対流型空気調和機は、吹出し口から温度調整された空気を室内へと吹き出し、温度調整された空気の対流を室内に発生させる。これによって、温度調整された空気を室内の広範囲に到達させることができ、室内の温度調整を行うことができる（特許文献１参照）。
【０００３】
【特許文献１】
特開２００１−４１４８８号公報
【０００４】
【発明が解決しようとする課題】
しかし、上記のような対流型空気調和機では、ドラフトが発生する恐れがある。すなわち、対流型空気調和機では、吹出し口から吹き出た空気の対流が、室内の居住者等に直接に接触し易い。このため、居住者等が不快感を感じる恐れがある。
【０００５】
また、快適感の向上のためには、室内の状況に適した空気調和が行われることが望ましい。例えば、室内の各所に複数の人が居る場合には、室内の各所に居る複数の人にとって適切な空気調和が行われることがより望ましい。また、机の配置など室内の作業環境によっては、人が居ることの多い場所と少ない場所とが存在する。従って、このような作業環境に適した空気調和が行われることがより望ましい。
【０００６】
本発明の課題は、ドラフトによる不快感を低減することができると共に、室内の状況に適した空気調和を行うことができる輻射パネル構造体および空気調和機を提供することにある。
【０００７】
【課題を解決するための手段】
請求項１に記載の輻射パネル構造体は、空気取入れ部と、圧力発生空間構成部とを備える。空気取入れ部は、温度調整された空気を取り入れる。圧力発生空間構成部は、空気によって大気圧より大きな圧力が生じる圧力発生空間を構成し、所定の輻射率を有する。そして、圧力発生空間構成部は、吹出し部を有する。この吹出し部は、温度調整された空気が吹き出すと共に部位によって吹き出す空気の特性が異なる。
【０００８】
この輻射パネル構造体では、温度調整された空気により圧力発生空間構成部の温度が調整される。そして、圧力発生空間構成部は所定の輻射率を有する。このため、この輻射パネル構造体は、圧力発生空間構成部の輻射によって、室内の温度調整を行うことができる。また、吹出し部から温度調整された空気が室内へ吹き出される。このため、この輻射パネル構造体は、吹出し部から吹き出される空気によって、室内の温度調整を行うことができる。このように、この輻射パネル構造体では、輻射と空気の吹出しとが併用されるため、吹出しのみによって室内の温度調整が行われる場合と比べて、穏やかな吹出しによって室内の温度調整を行うことができる。このため、この輻射パネル構造体では、ドラフトによる不快感を低減することができる。
【０００９】
また、吹出し部から吹き出る空気の特性は、吹出し部の部位によって異なる。例えば、吹出し部の部位によって異なる風量または風速の吹出しを行うことができる。このため、部分的に異なる空気調和を行うことができる。これにより、室内の状況に適した空気調和を行うことができる。
以上のように、この輻射パネル構造体では、ドラフトによる不快感を低減することができると共に、室内の状況に適した空気調和を行うことができる。
【００１０】
請求項２に記載の輻射パネル構造体は、請求項１に記載の輻射パネル構造体であって、吹出し部の部位によって異なる空気の特性は、吹き出される空気の風量である。
この輻射パネル構造体では、吹出し部の部位によって異なる風量の吹出しを行うことができる。このため、部分的に異なる空気調和を行うことができる。これにより、室内の状況に適した空気調和を行うことができる。
【００１１】
請求項３に記載の輻射パネル構造体は、請求項１に記載の輻射パネル構造体であって、吹出し部の部位によって異なる空気の特性は、吹き出される空気の風速である。
この輻射パネル構造体では、吹出し部の部位によって異なる風速の吹出しを行うことができる。このため、部分的に異なる空気調和を行うことができる。これにより、室内の状況に適した空気調和を行うことができる。
【００１２】
請求項４に記載の輻射パネル構造体は、請求項１から３のいずれかに記載の輻射パネル構造体であって、吹出し部は、大きさの異なる複数の孔を有する。
この輻射パネル構造体では、吹出し部は、大きさの異なる複数の孔を有する。従って、圧力発生空間から吹出し部を通って吹き出る空気の風量や風速などの特性は、孔の大きさによって異なる。このため、この輻射パネル構造体では、部位によって異なる量の空気を吹き出すことができる。
【００１３】
請求項５に記載の輻射パネル構造体は、請求項４に記載の輻射パネル構造体であって、吹出し部は、孔が設けられている第１部と、孔が設けられていない第２部とを有する。
この輻射パネル構造体では、吹出し部に、孔が設けられていない第２部が設けられる。従って、吹出し部には、吹き出しが行われない部分がある。このため、吹出しの不要な部分については、吹出しを行わないことができる。これにより、この輻射パネル構造体では、室内の状況により適した空気調和を行うことができる。
【００１４】
請求項６に記載の輻射パネル構造体は、請求項１から５のいずれかに記載の輻射パネル構造体であって、吹出し部は、所定の輻射率を有する繊維系材料によって構成されており、部位によって繊維の目の粗さが異なる。なお、繊維系材料の輻射率は、輻射による温度調整の観点からは輻射率が０．６以上であることが望ましい。
【００１５】
この輻射パネル構造体では、圧力発生空間に生じた大気圧より大きな圧力によって、吹出し部の繊維の目の隙間から温度調整された空気が室内へ吹き出される。このため、この輻射パネル構造体では、吹出し部からの空気の吹出しが穏やかである。従って、この輻射パネル構造体では、穏やかな吹出しと輻射とによって室内の空気調和を行うことができる。また、吹出し部の部位によって繊維の目の粗さが異なるため、部位によって風量や風速などの特性の異なる空気を吹き出させることができ、室内の状況に適した空気調和を行うことができる。このように、この輻射パネル構造体では、ドラフトによる不快感を低減することができると共に、室内の状況に適した空気調和を行うことができる。
【００１６】
請求項７に記載の輻射パネル構造体は、請求項６に記載の輻射パネル構造体であって、吹出し部は、平面的形状を有し、同一平面内の部位によって吹き出す空気の量が異なる。
この輻射パネル構造体では、吹出し部が平面的形状を有する。このため、吹出し部は、空気調和の対象となる室内空間のより広い範囲に面することができる。これにより、この輻射パネル構造体は、室内のより広い範囲の空気調和を行うことができる。また、吹出し部は、同一平面内の部位によって吹き出す空気の風量や風速などの特性が異なる。このため、この輻射パネル構造体は、より広い範囲で室内の状況に適した空気調和を行うことができる。
【００１７】
請求項８に記載の輻射パネル構造体は、請求項６または７に記載の輻射パネル構造体であって、吹出し部の繊維の目の粗さが連続的に変化している。
この輻射パネル構造体では、吹出し部の繊維の目の粗さが連続的に変化している。このため、空気の風量や風速などが連続的に変化する吹出しを行うことができる。これにより、室内が、連続的な空気の特性の変化が望ましいような状況である場合には、室内の状況により適した空気調和を行うことができる。
【００１８】
請求項９に記載の輻射パネル構造体は、請求項６または７に記載の輻射パネル構造体であって、吹出し部の繊維の目の粗さが離散的に変化している。
この輻射パネル構造体では、吹出し部の繊維の目の粗さが離散的に変化している。このため、空気の風量や風速などが離散的に変化する吹出しを行うことができる。これにより、室内が、離散的な空気の特性の変化が望ましいような状況である場合には、室内の状況により適した空気調和を行うことができる。
【００１９】
請求項１０に記載の輻射パネル構造体は、請求項６から９のいずれかに記載の輻射パネル構造体であって、吹出し部は、複数の分割部分と接続部分とを有する。複数の分割部分は、互いに別体に形成されている。接続部分は、分割部分をそれぞれ接続する。そして、複数の分割部分は繊維の目の粗さがそれぞれ異なる。この輻射パネル構造体では、吹出し部は、繊維の目の粗さがそれぞれ異なる複数の分割部分を有している。このため、この輻射パネル構造体では、繊維の目の粗さが部位によって異なる吹出し部を分割部分の組合せによって容易に形成することができる。
【００２０】
請求項１１に記載の輻射パネル構造体は、請求項１０に記載の輻射パネル構造体であって、接続部分は分割部分を着脱自在に接続する。
この輻射パネル構造体では、分割部分は接続部分によって着脱自在に接続される。このため、この輻射パネル構造体では、分割部分を容易に取り外すことができ、分割部分の取り替えを容易に行うことができる。
【００２１】
請求項１２に記載の空気調和機は、請求項１から１１のいずれかに記載の輻射パネル構造体と、温度調整部と、送風部とを備える。温度調整部は、輻射パネル構造体の圧力発生空間構成部へと送られる空気の温度調整を行う。送風部は、温度調整部によって温度調整された空気を輻射パネル構造体の空気取入れ部へと送る。
【００２２】
この空気調和機では、温度調整部によって空気の温度調整が行われ、温度調整された空気が送風部によって空気取入れ部へと送られる。そして、圧力発生空間の空気の温度を利用した吹出し部からの輻射によって室内の温度調整が行われる。また、圧力発生空間の空気が吹出し部から室内へと吹き出される。そして、この吹き出る空気の量は、吹出し部の部位によって異なる。このように、この空気調和機は、輻射と空気の吹出しとによって室内の温度調整を行うことができると共に、部位によって風量や風速などの特性の異なる空気を吹き出すことができる。このため、この空気調和機では、ドラフトによる不快感を低減することができると共に、室内の状況に適した空気調和を行うことができる。
【００２３】
【発明の実施の形態】
＜第１実施形態＞
［全体構成］
本発明の第１実施形態にかかる空気調和機１を図１に示す。この空気調和機１は、室内機２と室外機３とを備えており、輻射と、温度調整された空気の吹き出しとによって冷暖房等の室内の空気調和を行うことができる。なお、図１では、理解の容易のため、空気調和機１の一部が断面図として示されている。
【００２４】
室外機３は、室外に配置され、圧縮機３１、四路切換弁３２、電動弁３３、室外ファン（図示せず）、室外ファンモータ３４、室外機温度センサ３５（以上、図５参照）、室外熱交換器（図示せず）等を備えている。
圧縮機３１、電動弁３３、四路切換弁３２、室外熱交換器等は、後述する室内熱交換器と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００２５】
室内機２は、室内の天井面近傍や側壁等に配置され、室内機ケーシング２１、室内熱交換器２２、室内ファン２３、室内ファンモータ２４（図５参照）、室内機温度センサ２５（図５参照）、輻射パネル構造体５ａなどを備えている。
室内機ケーシング２１は、室内熱交換器２２や室内ファン２３等を内部に収納しており、吸込み口２６と接続口２７とを備えている。吸込み口２６は、室内から室内機ケーシング２１内へと取り入れられる空気が通る開口である。接続口２７は、室内機ケーシング２１内で室内熱交換器２２を通って輻射パネル構造体５ａへと送られる空気が通る開口であり、後述する輻射パネル構造体５ａの空気取入れ口５１に接続される。
【００２６】
室内熱交換器２２は、室外熱交換器や圧縮機３１等と冷媒配管４を介して接続されている。室内熱交換器２２は、通過する空気との間で熱交換を行うことによって、空気の温度調整を行う。
室内ファン２３は、室内ファンモータ２４によって回転駆動され、室内から取り込まれ輻射パネル構造体５ａへと送られる空気流を生成する。この空気流は、吸込み口２６から室内機ケーシング２１の内部に取り込まれ、室内熱交換器２２、接続口２７および空気取入れ口５１を通って輻射パネル構造体５ａの内部へと到る空気の流れである。
【００２７】
室内機温度センサ２５には、室内熱交換器の温度や室内空気の温度等を検出する各種の温度センサが含まれる。
輻射パネル構造体５ａは、天井面の近傍に配置され、温度調整された空気の温度を利用した輻射と、温度調整された空気の吹出しとによって冷暖房等の空気調和を行う。輻射パネル構造体５ａの構成については、後に詳細に説明する。
【００２８】
また、空気調和機１は、制御部６を備えている。制御部６は、室外機３と室内機２とに分かれて配置されており、空気調和機１の運転制御を行う。制御部６は、図５に示すように、圧縮機３１、四路切換弁３２、電動弁３３、室外ファンモータ３４、室外機温度センサ３５、室内ファンモータ２４、室外機温度センサ２５などの構成部品と接続されている。制御部６は、リモコン７から運転指令を受けると、各構成部品を制御して空気調和機１の運転制御を行う。
【００２９】
［輻射パネル構造体の構成］
図２に輻射パネル構造体５ａの外観図を示す。
輻射パネル構造体５ａは、薄い板状の外形を有しており、平面的な形状となっている。また、輻射パネル構造体５ａは、天井面の近傍に天井面に平行に配置される。このため、輻射パネル構造体５ａは、下方の居住空間等に対して他の方向よりも大きな投影面積を有している。輻射パネル構造体５ａは、空気取入れ口５１、輻射部５２ａおよび複数の形状保持部材５３ａ等を備えている。
【００３０】
空気取入れ口５１は、温度調整された空気を取り入れる部分であり、輻射パネル構造体５ａの側面の一つに設けられた開口である。空気取入れ口５１は、室内機ケーシング２１の接続口２７に脱着自在に接続される。なお、空気取入れ口５１は、既存の対流型空気調和機の吹出し口にも接続可能である。空気取入れ口５１は、室内ファン２３によって送られる空気（白抜き矢印Ａ１参照）が通過する。
【００３１】
輻射部５２ａは、第１輻射面５４ａ、第２輻射面５５および３つの側面５６からなり、空気によって大気圧より大きな圧力が生じる圧力発生空間ＰＳを内部に構成する。
第１輻射面５４ａは、圧力発生空間ＰＳの下方を閉じる。第１輻射面５４ａは、四角形の薄いシート状の形状を有しており、平面的な形状となっている。第１輻射面５４ａは、室内の居住空間に面する位置に天井面と平行に配置されている。また、第１輻射面５４ａは、約０．９の輻射率を有する織布によって形成されている。第１輻射面５４ａは、図３に示すように、部位によって繊維の目の粗さが離散的に異なっている。すなわち、第１輻射面５４ａは、同一平面内に、繊維の目の細かい弱吹出し部分５４１と、繊維の目の粗い強吹出し部分５４２とを有している。従って、第１輻射面５４ａは、部位によって吹き出される空気の量が異なる（実線矢印Ａ２，Ａ３参照）。
【００３２】
このように、輻射部５２ａでは、一枚の連続する平面内で繊維の目の粗さが部位によって異なっており、吹き出す空気の量が部位によって異なっている。
第２輻射面５５は、第１輻射面５４ａと同一の形状であり、圧力発生空間ＰＳの上方を閉じる。第２輻射面５５は、第１輻射面５４ａと対向しており、天井面に面する位置に配置されている。すなわち、第２輻射面５５は、第１輻射面５４ａと天井面との間に配置されている。また、第２輻射面５５は、第１輻射面５４ａと同じ織布で形成されている。
【００３３】
３つの側面５６は、細長い長方形の形状を有しており、空気取入れ口５１を除く圧力発生空間ＰＳの側方を閉じる。３つの側面５６は、第１輻射面５４ａの３つの辺と第２輻射面５５の３つの辺とをそれぞれ繋いでいる。また、３つの側面５６は、第１輻射面５４ａおよび第２輻射面５５と同じ織布で形成されている。このように、輻射パネル構造体５ａは、空気取入れ口５１以外が閉じられた袋状の形状を有している。
【００３４】
複数の形状保持部材５３ａは、間隔を隔てて配置される糸状の部材である。複数の形状保持部材５３ａは、それぞれ同じ長さを有しており、一端が第１輻射面５４ａに固定され他端が第２輻射面５５に固定される。複数の形状保持部材５３ａは、第１輻射面５４ａと第２輻射面５５の各平面上に略均一に配置されている。形状保持部材５３ａは、圧力発生空間ＰＳに大気圧より大きな圧力が生じた場合に、第１輻射面５４ａと第２輻射面５５とを平坦な形状に保持し、輻射部５２ａを板状の形状に保持する。なお、図２では、形状保持部材５３ａの一つにのみ符号を付して他の形状保持部材５３ａについては符号を省略している。
【００３５】
［空気調和機の運転動作］
次に、この空気調和機１によって室内の空気調和を行う場合の運転動作について説明する。
冷房運転時には、室内熱交換器２２が、蒸発器として機能して、通過する空気から熱を奪う。室内ファン２３によって吸込み口２６から室内機ケーシング２１内に取り込まれた室内の空気は、室内熱交換器２２を通過する際に熱を奪われて冷却される。
【００３６】
この冷却された空気は、図４に示すように、接続口２７および空気取入れ口５１を通って、輻射部５２ａ内の圧力発生空間ＰＳへと送られる。空気が圧力発生空間ＰＳに送られると、大気圧より大きな正の静圧が圧力発生空間ＰＳに生じる。すなわち、天井面に平行に流れる空気の流れ（実線矢印Ａ１参照）に対して垂直な方向に大気圧より大きな圧力が生じる。このため、冷却された空気が、輻射部５２ａの織布の繊維の隙間から押し出され、室内へと穏やかに吹き出される（実線矢印Ａ２，Ａ３参照）。このとき、弱吹出し部分５４１では、風量が小さい吹出しが行われ（実線矢印Ａ２参照）、強吹出し部分５４２では、弱吹出し部分５４１と比較して風量の大きい吹出しが行われる（実線矢印Ａ３参照）。
【００３７】
また、輻射部５２ａが冷却された空気と接触することによって、輻射部５２ａが冷却される。このため、輻射部５２ａによる冷輻射が生じる（破線矢印Ａ４参照）。
このように、この空気調和機１では、輻射部５２ａの繊維の隙間からの穏やかな吹出しと、輻射部５２ａの冷輻射とによって、室内の冷房が行われる。
【００３８】
暖房運転時には、室内熱交換器２２が凝縮器として機能して、通過する空気を加熱する。加熱された空気は、冷房運転時と同様に、輻射部５２ａ内の圧力発生空間ＰＳへと送られる。そして、加熱された空気が、織布の繊維の隙間から押し出され、室内へと穏やかに吹き出される。この場合も上記と同様に、弱吹出し部分５４１では、風量が小さい吹出しが行われ、強吹出し部分５４２では、弱吹出し部分５４１と比較して風量の大きい吹出しが行われる。また、輻射部５２ａが加熱された空気と接触することによって、輻射部５２ａが加熱される。そして、輻射部５２ａによる熱輻射が生じる。このように、この空気調和機１では、輻射部５２ａの繊維の隙間からの穏やかな吹出しと、輻射部５２ａの熱輻射とによって、室内の暖房が行われる。
【００３９】
［特徴］
（１）
温度調整された空気を直接室内へと吹き出す対流型空気調和機の場合、吹き出された空気が居住者等に直接当たる、いわゆるドラフトが生じやすい。このようなドラフトが生じると、居住者等は不快感を感じることが多い。また、空気の吹出しによって室内の温度調整が行われても、ドラフトによって居住者等の体感温度を悪化させてしまう恐れがある。
【００４０】
この空気調和機１では、上記のように、輻射と穏やかな空気の吹出しとによって室内の冷暖房を行うことができる。そして、この空気調和機１では、輻射と空気の吹出しとが併用されるため、吹出しのみによって室内の温度調整が行われる場合と比べて、穏やかな吹出しによって室内の温度調整を行うことができる。このため、この輻射パネル構造体では、ドラフトによる不快感を低減することができる。
【００４１】
また、弱吹出し部分５４１からは弱い風量の吹出しが行われ、強吹出し部分５４２からは強い風量の吹出しが行われる。すなわち、第１輻射面５４ａから吹き出る空気の量は、第１輻射面５４ａの部位によって異なる。このため、部分的に異なる空気調和を行うことができる。従って、室内空間のうち主たる居住空間の上方に強吹出し部分５４２が配置されることにより、主たる居住空間の温度調整を速やかに行うことができる。なお、空気調和機１では、このように速やかな温度調整が行われる場合であっても、対流型空気調和機と比べて、ドラフトによる不快感は低減されている。また、主たる居住空間の上方に弱吹出し部分５４１が配置されることにより、ドラフトによる不快感が生じる恐れをより低減することができる。このように、この空気調和機１では、一つの部屋の中で個別空調が可能となり、室内の状況に適した空気調和を行うことができる。
【００４２】
以上のように、この空気調和機１では、ドラフトによる不快感を低減することができると共に、室内の状況に適した空気調和を行うことができる。
なお、第１輻射面５４ａに、吹き出す空気の量が異なる部分をより多く設けることにより、室内の各所に居る複数の人に対しても適切な空気調和を行うこともできる。
【００４３】
また、この空気調和機１では、温度調整に限らず、湿度調整においても室内の状況に適した空気調和を行うことができる。
（２）
この空気調和機１では、輻射パネル構造体５ａは、天井面近傍に配置され薄い板状の形状を有し，平面的形状となっている。このため、居住空間に面する第１輻射面５４ａの表面積を比較的大きくしても、居住者等の邪魔になる恐れは少ない。そして、第１輻射面５４ａの表面積を大きくすることにより、天井面近傍から室内の居住空間の広い範囲へ向けて、輻射と穏やかな空気の吹出しとを行うことができる。
【００４４】
（３）
輻射によって空気調和を行う従来の空気調和機では、輻射率の高い金属製の輻射パネルが用いられることが多い。
この空気調和機１では、輻射部５２ａが織布によって形成されているが、この織布は約０．９の輻射率を有する。このため、織布であっても輻射による室内の冷暖房を十分効果的に行うことができる。
【００４５】
また、織布の繊維の隙間から吹き出る空気によって、第１輻射面５４ａの外側まで、輻射部５２ａの内部の温度と同じ温度となっている。このため、輻射による室内の冷暖房を効率的に行うことができる。
＜第２実施形態＞
［構成］
本発明の第２実施形態にかかる輻射パネル構造体５ｂの側面図を図６に示す。
【００４６】
この輻射パネル構造体５ｂでは、輻射部５２ｂの第１輻射面５４ｂに、弱吹出し部分５４１、強吹出し部分５４２および零吹出し部分５４３が設けられている。零吹出し部分５４３では、繊維の目が塞がれており、空気の吹き出しが行われない。なお、図６では、空気の吹出しのみを実線矢印Ａ２，Ａ３で表しているが、図４と同様に輻射も併せて行われている。
【００４７】
他の構成については、第１実施形態にかかる空気調和機１と同様である。
［特徴］
この輻射パネル構造体５ｂでは、零吹出し部分５４３からは空気の吹出しが行われない。従って、吹出しの不要な部分については、吹出しを行わないことができる。例えば、物置として使用されている場所のように居住者等が存在することが少ない場所の上方に零吹出し部分５４３を配置するとよい。これにより、このような空気調和が不要な場所については、吹出しを行わないことができる。また、ドラフトによる不快感を避けたい要求が強い場所がある場合には、その場所の上方に零吹出し部分５４３を配置するとよい。これにより、その場所にいる居住者等がドラフトによる不快感を受ける恐れをより低減することができる。
【００４８】
このように、この輻射パネル構造体５ｂでは、室内の状況により適した空気調和を行うことができる。
＜第３実施形態＞
［構成］
本発明の第３実施形態にかかる輻射パネル構造体５ｃの側面図を図７に示す。
【００４９】
この輻射パネル構造体５ｃでは、輻射部５２ｃの第１輻射面５４ｃは、繊維の目の粗さが連続的に変化している。第１輻射面５４ｃは、圧力発生空間ＰＳを通る空気の流れ方向に進むと共に、繊維の目が徐々に粗くなっている。このため、実線矢印Ａ５で表すように、輻射部５２ｃの先端に近い位置ほど、吹出しの風量が大きくなっている。なお、図７では、空気の吹出しのみを実線矢印Ａ５で表しているが、図４と同様に輻射も行われている。
【００５０】
他の構成については、第１実施形態にかかる空気調和機１と同様である。
［特徴］
この輻射パネル構造体５ｃでは、第１輻射面５４ｃの繊維の目の粗さが連続的に変化している。このため、空気の量が連続的に変化する吹出しを行うことができる。これにより、場所ごとに異なる吹出しの強さを穏やかに変化させることができる。
【００５１】
＜第４実施形態＞
［構成］
本発明の第４実施形態にかかる輻射パネル構造体５ｄの一部を図８に示す。
この輻射パネル構造体５ｄでは、輻射部５２ｄの第１輻射面５４ｄは、複数の分割パネル５４４，５４５，５４６，５４７と、ファスナー部分５４８，５４９，５５０，５５１と、ベース部分５５２とを有する。
【００５２】
複数の分割パネル５４４，５４５，５４６，５４７は、互いに別体に形成されている。複数の分割パネル５４４，５４５，５４６，５４７は繊維の目の粗さがそれぞれ異なる。この分割パネル５４４，５４５，５４６，５４７には、第１分割パネル５４４、第２分割パネル５４５、第３分割パネル５４６および第４分割パネル５４７があり、順に繊維の目の粗さが大きくなっている。複数の分割パネル５４４，５４５，５４６，５４７は、第１輻射面５４ｄの同一平面内に並んで配置されている。このため、第１輻射面５４ｄは、部位によって吹き出す空気の量が異なっている。また、複数の分割パネル５４４，５４５，５４６，５４７は、同じ形状を有しており、互いに配置を入れ替えることができる。
【００５３】
ファスナー部分５４８，５４９，５５０，５５１は、ファスナーによって複数の分割パネル５４４，５４５，５４６，５４７をそれぞれ着脱自在にベース部分５５２に接続している。このため、複数の分割パネル５４４，５４５，５４６，５４７は、取り外しや取り付けを容易に行うことができる。なお、ファスナー部分５４８，５４９，５５０，５５１は、ベルクロファスナーなどの面ファスナーによって構成されていてもよい。
【００５４】
他の構成については、第１実施形態にかかる空気調和機１と同様である。
［特徴］
この輻射パネル構造体５ｄでは、第１輻射面５４ｄは、繊維の目の粗さがそれぞれ異なる複数の分割パネル５４４，５４５，５４６，５４７を有している。このため、この輻射パネル構造体５ｄでは、繊維の目の粗さがそれぞれ異なる複数の分割パネル５４４，５４５，５４６，５４７を繋ぎ合わせることによって、繊維の目の粗さが部位によって異なる第１輻射面５４ｄを容易に形成することができる。
【００５５】
また、この輻射パネル構造体５ｄでは、複数の分割パネル５４４，５４５，５４６，５４７はファスナー部分５４８，５４９，５５０，５５１によって着脱自在に接続される。このため、この輻射パネル構造体５ｄでは、分割パネル５４４，５４５，５４６，５４７を容易に取り外すことができ、分割パネル５４４，５４５，５４６，５４７の取替えや移動を容易に行うことができる。従って、例えば、室内のレイアウトが変更された場合には、図９（ｂ）に示すように、分割パネル５４４，５４５，５４７を移動させて、分割パネル５４４，５４５，５４７の配置を入れ替えることで、変更後のレイアウトに適した空気調和を行うことができる。なお、図９（ａ）は、レイアウトの変更前の分割パネル５４４，５４５，５４６，５４７の配置を示している。
【００５６】
以上のように、この輻射パネル構造体５ｄでは、レイアウトが変更された場合でも、快適性が維持される。
なお、本実施形態にかかる輻射パネル構造体５ｄでは、複数の分割パネル５４４，５４５，５４６，５４７はベース部分５５２を介して間接的に接続されているが、複数の分割パネル５４４，５４５，５４６，５４７がファスナー等を用いて直接に接続されてもよい。
【００５７】
＜他の実施形態＞
（１）
上記の実施形態では、第１輻射面５４ａ−５４ｄは、柔軟性を有する繊維系材料によって形成されているが、金属材料など剛性を有する材料で形成されてもよい。この場合、第１輻射面５４ａ−５４ｄの部位によって大きさの異なる複数の孔を設けることにより、上記と同様の効果を奏することができる。
【００５８】
また、上記の実施形態では、輻射部５２ａ−５２ｄの材料として織布が使用されているが、織布以外の繊維系材料が使用されてもよい。
（２）
上記の実施形態では、輻射パネル構造体５ａ−５ｄは平面的形状を有している。居住者等の邪魔にならずに表面積を大きく確保するためには、上記のように平面的形状がより望ましいが、輻射パネル構造体５ａ−５ｄが比較的厚みの大きい立体的な形状を有していてもよい。
【００５９】
（３）
上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も室内の温度調整は可能である。
【００６０】
（４）
弱吹出し部分５４１、強吹出し部分５４２、零吹出し部分５４３等の配置が、上記の実施形態と異なる配置となっていてもよい。室内の作業環境やレイアウトなどに応じて、弱吹出し部分５４１、強吹出し部分５４２、零吹出し部分５４３等が適切に配置されることにより、室内の状況に適した空気調和を行うことができる。
【００６１】
例えば、零吹出し部分５４３を取り囲むように、弱吹出し部分５４１あるいは強吹出し部分５４２が配置されることにより、零吹出し部分５４３の直下の空間に対して適した空気調和を行うことができる。
また、目の粗さの異なる部分が上記の実施形態よりも多く設けられていてもよい。
【００６２】
（５）
上記の実施形態では、天井面近傍に輻射パネル構造体５ａ−５ｄが配置されているが、輻射パネル構造体５ａ−５ｄが室内の側壁近傍に沿うように配置されてもよい。
（６）
上記の実施形態では、第１輻射面５４ａは、部位によって吹き出される空気の量が異なるが、部位によって吹き出される空気の風速が異なっていてもよい。
【００６３】
（７）
上記の実施形態では、冷暖房運転が主として記載されているが、輻射部５２ａ等へ湿度調整された空気が送られ、加湿・除湿運転が行われてもよい。また、冷暖房運転と加湿除湿運転とが同時に行われてもよい。さらに、温度調整等が行われていない室外の空気が輻射部５２ａへと送られ、換気運転が行われてもよい。
【００６４】
【発明の効果】
請求項１に記載の輻射パネル構造体では、温度調整された空気により圧力発生空間構成部の温度が調整される。そして、圧力発生空間構成部は所定の輻射率を有する。このため、この輻射パネル構造体は、圧力発生空間構成部の輻射によって、室内の温度調整を行うことができる。また、吹出し部から温度調整された空気が室内へ吹き出される。このため、この輻射パネル構造体は、吹出し部から吹き出される空気によって、室内の温度調整を行うことができる。このように、この輻射パネル構造体では、輻射と空気の吹出しとが併用されるため、吹出しのみによって室内の温度調整が行われる場合と比べて、穏やかな吹出しによって室内の温度調整を行うことができる。このため、この輻射パネル構造体では、ドラフトによる不快感を低減することができる。
【００６５】
また、吹出し部から吹き出る空気の特性は、吹出し部の部位によって異なる。例えば、吹出し部の部位によって異なる風量または風速の吹出しを行うことができる。このため、部分的に異なる空気調和を行うことができる。これにより、室内の状況に適した空気調和を行うことができる。
以上のように、この輻射パネル構造体では、ドラフトによる不快感を低減することができると共に、室内の状況に適した空気調和を行うことができる。
【００６６】
請求項２に記載の輻射パネル構造体では、吹出し部の部位によって異なる風量の吹出しを行うことができる。このため、部分的に異なる空気調和を行うことができる。これにより、室内の状況に適した空気調和を行うことができる。
請求項３に記載の輻射パネル構造体では、吹出し部の部位によって異なる風速の吹出しを行うことができる。このため、部分的に異なる空気調和を行うことができる。これにより、室内の状況に適した空気調和を行うことができる。
【００６７】
請求項４に記載の輻射パネル構造体では、吹出し部は、大きさの異なる複数の孔を有する。従って、圧力発生空間から吹出し部を通って吹き出る空気の風量や風速などの特性は、孔の大きさによって異なる。このため、この輻射パネル構造体では、部位によって異なる量の空気を吹き出すことができる。
請求項５に記載の輻射パネル構造体では、吹出し部に、孔が設けられていない第２部が設けられる。従って、吹出し部には、吹き出しが行われない部分がある。このため、吹出しの不要な部分については、吹出しを行わないことができる。これにより、この輻射パネル構造体では、室内の状況により適した空気調和を行うことができる。
【００６８】
請求項６に記載の輻射パネル構造体では、圧力発生空間に生じた大気圧より大きな圧力によって、吹出し部の繊維の目の隙間から温度調整された空気が室内へ吹き出される。このため、この輻射パネル構造体では、吹出し部からの空気の吹出しが穏やかである。従って、この輻射パネル構造体では、穏やかな吹出しと輻射とによって室内の空気調和を行うことができる。また、吹出し部の部位によって繊維の目の粗さが異なるため、部位によって風量や風速などの特性の異なる空気を吹き出させることができ、室内の状況に適した空気調和を行うことができる。このように、この輻射パネル構造体では、ドラフトによる不快感を低減することができると共に、室内の状況に適した空気調和を行うことができる。
【００６９】
請求項７に記載の輻射パネル構造体では、吹出し部が平面的形状を有する。このため、吹出し部は、空気調和の対象となる室内空間のより広い範囲に面することができる。これにより、この輻射パネル構造体は、室内のより広い範囲の空気調和を行うことができる。また、吹出し部は、同一平面内の部位によって吹き出す空気の風量や風速などの特性が異なる。このため、この輻射パネル構造体は、より広い範囲で室内の状況に適した空気調和を行うことができる。
【００７０】
請求項８に記載の輻射パネル構造体では、吹出し部の繊維の目の粗さが連続的に変化している。このため、空気の風量や風速などが連続的に変化する吹出しを行うことができる。これにより、室内が、連続的な空気の特性の変化が望ましいような状況である場合には、室内の状況により適した空気調和を行うことができる。
【００７１】
請求項９に記載の輻射パネル構造体では、吹出し部の繊維の目の粗さが離散的に変化している。このため、空気の風量や風速などが離散的に変化する吹出しを行うことができる。これにより、室内が、離散的な空気の特性の変化が望ましいような状況である場合には、室内の状況により適した空気調和を行うことができる。
【００７２】
請求項１０に記載の輻射パネル構造体では、吹出し部は、繊維の目の粗さがそれぞれ異なる複数の分割部分を有している。このため、この輻射パネル構造体では、繊維の目の粗さが部位によって異なる吹出し部を分割部分の組合せによって容易に形成することができる。
請求項１１に記載の輻射パネル構造体では、分割部分は接続部分によって着脱自在に接続される。このため、この輻射パネル構造体では、分割部分を容易に取り外すことができ、分割部分の取り替えを容易に行うことができる。
【００７３】
請求項１２に記載の空気調和機では、温度調整部によって空気の温度調整が行われ、温度調整された空気が送風部によって空気取入れ部へと送られる。そして、圧力発生空間の空気の温度を利用した吹出し部からの輻射によって室内の温度調整が行われる。また、圧力発生空間の空気が吹出し部から室内へと吹き出される。そして、この吹き出る空気の量は、吹出し部の部位によって異なる。このように、この空気調和機は、輻射と空気の吹出しとによって室内の温度調整を行うことができると共に、部位によって風量や風速などの特性の異なる空気を吹き出すことができる。このため、この空気調和機では、ドラフトによる不快感を低減することができると共に、室内の状況に適した空気調和を行うことができる。
【図面の簡単な説明】
【図１】第１実施形態にかかる空気調和機の概略側面図。
【図２】第１実施形態にかかる輻射パネル構造体の外観図。
【図３】第１実施形態にかかる輻射パネル構造体の概略側面図。
【図４】第１実施形態にかかる空気調和機における空気の吹出しと輻射とを表す図。
【図５】第１実施形態にかかる空気調和機の制御ブロック図。
【図６】第２実施形態にかかる輻射パネル構造体の概略側面図。
【図７】第３実施形態にかかる輻射パネル構造体の概略側面図。
【図８】第４実施形態にかかる輻射パネル構造体の概略図。
【図９】第４実施形態にかかる輻射パネル構造体の分割パネルの入れ替えを示す図。
【符号の説明】
１                空気調和機
５ａ−５ｄ        輻射パネル構造体
２２              室内熱交換器（温度調整部）
２３              室内ファン（送風部）
５１              空気取入れ口（空気取入れ部）
５２ａ−５２ｄ    輻射部（圧力発生空間構成部）
５４ａ−５４ｄ    第１輻射面（吹出し部）
５４１            弱吹出し部分（第１部）
５４２            強吹出し部分（第１部）
５４３            零吹出し部分（第２部）
５４４            第１分割パネル（分割部分）
５４５            第２分割パネル（分割部分）
５４６            第３分割パネル（分割部分）
５４７            第４分割パネル（分割部分）
５４８，５４９，５５０，５５１  ファスナー部分（接続部分）
ＰＳ              圧力発生空間
【図１】
2004251547.tif 000003
【図２】
2004251547.tif 000004
【図３】
2004251547.tif 000005
【図４】
2004251547.tif 000006
【図５】
2004251547.tif 000007
【図６】
2004251547.tif 000008
【図７】
2004251547.tif 000009
【図８】
2004251547.tif 000010
【図９】
2004251547.tif 000011